(57)【要約】【課題】操作者に対し、表示画像があたかも現実に存在するかのような仮想的な実体感覚を与えることにより、物品整理や情報管理における操作者の利便性を向上することができる表示処理装置及び表示処理システムを提供する。【解決手段】操作者Ｍの視覚に対し、投影ボード２の自然像を含む所定の視野ＦＶを付与可能に、操作者Ｍの頭部に保持される透過型の表示装置１２０と、投影ボード２の近傍に配置され、視野ＦＶ内に少なくとも１つの所定の表示画像を表示させるための表示データをそれぞれ記憶した少なくとも１つの表示用無線タグＴに対し、無線通信を行うためのアンテナ１１０と、アンテナ１１０を介し、無線通信により画像データを取得し、この取得した画像データに基づき、視野ＦＶ内に、投影ボード２の自然像に重ねるように所定の表示画像を表示装置１２０に表示させる制御回路１３３とを有する。【選択図】図９
2009245390.tif 000002
【特許請求の範囲】
【請求項１】
操作者の視覚に対し、所定の仮想投影部の自然像を含む所定の視野を付与可能に、前記操作者の頭部に保持される透過型の表示手段と、
前記仮想投影部若しくは前記仮想投影部の近傍に配置され、前記所定の視野内に少なくとも１つの所定の表示画像を表示させるための画像関連情報をそれぞれ記憶した少なくとも１つの表示用無線タグに対し、無線通信を行うためのアンテナ手段と、
前記アンテナ手段を介し、無線通信により前記画像関連情報を取得する第１情報取得手段と、
前記第１情報取得手段で取得した前記画像関連情報に基づき、前記所定の視野内に、前記仮想投影部の自然像に重ねるように前記所定の表示画像を前記表示手段に表示させるための表示信号を生成する表示信号生成手段と
を有することを特徴とする表示処理装置。
【請求項２】
前記第１情報取得手段は、
前記表示用無線タグに記憶された、前記所定の視野内における前記表示画像の表示位置に対応した表示位置情報を前記アンテナ手段を介して取得し、
前記表示信号生成手段は、
前記第１情報取得手段で取得した前記画像関連情報と前記表示位置情報に基づき、前記所定の視野内における前記表示位置に、前記所定の表示画像を表示させるための表示信号を生成する
ことを特徴とする請求項１記載の表示処理装置。
【請求項３】
前記表示信号生成手段は、
前記仮想投影部の前記操作者からの距離又は方向に応じて、前記所定の視野内における前記所定の表示画像の表示位置や表示大きさが変化するように、前記表示信号を生成する表示態様制御手段を備える
ことを特徴とする請求項２記載の表示処理装置。
【請求項４】
複数の前記表示用無線タグが、前記仮想投影部若しくは前記仮想投影部の近傍における所定の位置に配置されており、
前記表示態様制御手段は、
前記複数の表示用無線タグに対する前記第１情報取得手段での情報取得結果に応じて、前記所定の視野内における前記所定の表示画像の表示位置や表示大きさが変化するように、前記表示信号を生成する
ことを特徴とする請求項３記載の表示処理装置。
【請求項５】
前記表示態様制御手段は、
前記複数の表示用無線タグのうち第１情報取得手段での情報取得に成功した表示用無線タグの配置位置に応じて、前記所定の視野内における前記所定の表示画像の表示位置や表示大きさが変化するように、前記表示信号を生成する
ことを特徴とする請求項４記載の表示処理装置。
【請求項６】
前記表示態様制御手段は、
前記表示用無線タグから第１情報取得手段での情報取得に成功したときの受信信号強度に応じて、前記所定の視野内における前記所定の表示画像の表示位置や表示大きさが変化するように、前記表示信号を生成する
ことを特徴とする請求項４又は請求項５記載の表示処理装置。
【請求項７】
前記アンテナ手段を介し、複数の前記操作者にそれぞれ関連付けられた複数の操作者用無線タグより、対応する操作者の識別情報を取得する第２情報取得手段を有し、
前記表示態様制御手段は、
前記第１情報取得手段で取得した前記画像関連情報及び前記表示位置情報と前記第２情報取得手段で取得した前記操作者の識別情報と、に対応して、前記所定の視野内の前記所定の表示画像の表示態様が変化するように、前記表示信号を生成する
ことを特徴とする請求項３乃至請求項６のいずれか１項記載の表示処理装置。
【請求項８】
前記アンテナ手段を介し、建造物や定置物に関連付けられた位置特定用無線タグより、対応する位置特定情報を取得する第３情報取得手段を有し、
前記表示態様制御手段は、
前記第１情報取得手段で取得した前記画像関連情報及び前記表示位置情報と、前記第２情報取得手段で取得した前記操作者の識別情報、及び、前記第３情報取得手段で取得した前記位置特定情報のうち少なくとも一方と、に対応して、前記所定の視野内の前記所定の表示画像の表示態様が変化するように、前記表示信号を生成する
ことを特徴とする請求項３乃至請求項７のいずれか１項記載の表示処理装置。
【請求項９】
操作者の視覚に対し、所定の仮想投影部の自然像を含む所定の視野を付与可能に、前記操作者の頭部に保持される透過型の表示手段と、
前記仮想投影部若しくは前記仮想投影部の近傍に配置され、タグ識別情報をそれぞれ記憶した少なくとも１つの表示用無線タグと、
前記タグ識別情報と、当該タグ識別情報を備えた表示用無線タグに対応する、前記所定の視野内に少なくとも１つの所定の表示画像を表示させるための画像情報とを、互いに関連付けて格納したデータベースと、
前記少なくとも１つの表示用無線タグに対し、無線通信を行うためのアンテナ手段と、
前記アンテナ手段を介し、無線通信により前記タグ識別情報を取得するタグ識別情報取得手段と、
前記タグ識別情報取得手段で取得した前記タグ識別情報に基づき、前記データベースにアクセスし、対応する前記画像情報を取得する画像情報取得手段とを有し、
前記表示手段は、
前記画像情報取得手段で取得した前記画像情報に基づき、前記所定の視野内に、前記仮想投影部の自然像に重ねるように前記所定の表示画像を表示する
ことを特徴とする表示処理システム。
【発明の詳細な説明】
【技術分野】
【０００１】
本発明は、表示装置に画像を表示させるための画像情報を処理する表示処理装置及び表示処理システムに関する。
【背景技術】
【０００２】
近年、所定の情報を記憶する小型の無線タグとリーダ（読み取り装置）／ライタ（書き込み装置）との間で非接触で情報の読み取り／書き込みを行うＲＦＩＤ（Ｒａｄｉｏ  Ｆｒｅｑｕｅｎｃｙ  Ｉｄｅｎｔｉｆｉｃａｔｉｏｎ）システムが提唱されており、様々な分野において実用化されつつある。
【０００３】
上記ＲＦＩＤシステムの実用化の一例として、無線タグに対し無線通信を行うことにより取得した情報に基づき、対応する画像表示を行うための表示処理装置が挙げられる（例えば、特許文献１参照）。この従来技術では、操作者が、探索対象（荷）に設けられた無線タグ（荷タグ）の情報を無線通信を介して取得するリーダと、透過型の表示手段（ヘッドマウントディスプレイ）とを身体に装着しており、操作者が移動して無線タグがリーダの通信範囲に入ると情報が取得され、操作者に対応した探索対象であるか否かが照合され、その照合結果が表示手段に表示されるようになっている。
【特許文献１】特開２００４−９９２７８号公報
【発明の開示】
【発明が解決しようとする課題】
【０００４】
上記従来技術で用いられる透過型の表示手段においては、操作者の視覚に対し、生成した表示画像を自然像（表示処理装置が生成した画像でなく、可視光線により操作者の肉眼で視認できる実像）に重ねた視野を付与する。すなわち、操作者の視覚において、操作者に対応した探索対象であるか否かの照合結果が自然像に重ねられて表示される。このとき、上記従来技術では、自然像への重ね合わせを考慮した画像処理を行っていない。したがって、操作者の視覚において、表示処理装置が生成した表示画像と自然像とは個々に独立した存在であり、操作者に対し、表示画像があたかも現実に存在するかのような感覚（仮想的な実体感覚）を与えることができなかった。したがって、操作者にとって必ずしも利便性がよいとは言えなかった。
【０００５】
本発明の目的は、操作者に対し、表示画像があたかも現実に存在するかのような仮想的な実体感覚を与えることにより、物品整理や情報管理における操作者の利便性を向上することができる表示処理装置及び表示処理システムを提供することにある。
【課題を解決するための手段】
【０００６】
上記目的を達成するために、第１発明の表示処理装置は、操作者の視覚に対し、所定の仮想投影部の自然像を含む所定の視野を付与可能に、前記操作者の頭部に保持される透過型の表示手段と、前記仮想投影部若しくは前記仮想投影部の近傍に配置され、前記所定の視野内に少なくとも１つの所定の表示画像を表示させるための画像関連情報をそれぞれ記憶した少なくとも１つの表示用無線タグに対し、無線通信を行うためのアンテナ手段と、前記アンテナ手段を介し、無線通信により前記画像関連情報を取得する第１情報取得手段と、前記第１情報取得手段で取得した前記画像関連情報に基づき、前記所定の視野内に、前記仮想投影部の自然像に重ねるように前記所定の表示画像を前記表示手段に表示させるための表示信号を生成する表示信号生成手段とを有することを特徴とする。
【０００７】
本願第１発明においては、操作者は、頭部に透過型の表示手段を装着して保持する。表示手段の中に見える操作者の視野には、仮想投影部の自然像が含まれている。このとき、仮想投影部には少なくとも１つの表示用無線タグが設けられる。この表示用無線タグには画像関連情報が記憶されており、アンテナ手段を介した無線通信により、第１情報取得手段が表示用無線タグから画像関連情報を取得する。この取得された画像関連情報に基づいて表示信号生成手段が表示信号を生成し、この表示信号に基づき、表示手段での操作者の視野には、上記仮想投影部の自然像に加えて、画像関連情報に対応した所定の表示画像が重なるようにして表示される。
【０００８】
すなわち、操作者の視野において、仮想投影部の自然像上に、表示用無線タグからの読み取りに対応した所定の画像を表示することができる。この結果、操作者にとっては、仮想投影部に対し、所定の物品があたかも配置されてあるかのような感覚を与えることができる。したがって、現実に物品を配置しなくても、配置したのと同様の取り扱いや処理を電子的に行うことができる。この結果、物品整理や情報管理における操作者の利便性を向上することができる。また、複数の操作者における仮想投影部の共用等、多種多様な拡張や応用も可能となる。
【０００９】
第２発明の表示処理装置は、上記第１発明において、前記第１情報取得手段は、前記表示用無線タグに記憶された、前記所定の視野内における前記表示画像の表示位置に対応した表示位置情報を前記アンテナ手段を介して取得し、前記表示信号生成手段は、前記第１情報取得手段で取得した前記画像関連情報と前記表示位置情報に基づき、前記所定の視野内における前記表示位置に、前記所定の表示画像を表示させるための表示信号を生成することを特徴とする。
【００１０】
これにより、無線タグの読み取りに対応して所定の画像を操作者の視野内において表示させるとき、当該画像を視野内のどの位置に表示させるかを設定することが可能となる。すなわち、操作者の仮想的な物品配置感覚における配置位置を設定することができる。この結果、さらに操作者の利便性を向上することができる。
【００１１】
第３発明の表示処理装置は、上記第２発明において、前記表示信号生成手段は、前記仮想投影部の前記操作者からの距離又は方向に応じて、前記所定の視野内における前記所定の表示画像の表示位置や表示大きさが変化するように、前記表示信号を生成する表示態様制御手段を備えることを特徴とする。
【００１２】
これにより、例えば操作者が仮想投影部に近づき距離が短くなったときにはそれに対応して視野の中の画像を大きくしたり、仮想投影部への方向が変わり仮想投影部の局所的な部分に操作者の方向が向いたときにはそれに対応して視野における画像の表示を横にずらす等を行うことが可能となる。この結果、現実の物品が配置されているときに操作者が近づいたり方向を変えたりしたときと同様の視覚的効果を与えることができるので、操作者にとっての仮想的な物品配置感覚を維持することが可能となる。
【００１３】
第４発明の表示処理装置は、上記第３発明において、複数の前記表示用無線タグが、前記仮想投影部若しくは前記仮想投影部の近傍における所定の位置に配置されており、前記表示態様制御手段は、前記複数の表示用無線タグに対する前記第１情報取得手段での情報取得結果に応じて、前記所定の視野内における前記所定の表示画像の表示位置や表示大きさが変化するように、前記表示信号を生成することを特徴とする。
【００１４】
複数の表示用無線タグを仮想投影部の所定の位置に配置しておき、それら表示用無線タグそれぞれにおける第１情報取得手段の情報取得結果がどうであったかを検出することで、仮想投影部と操作者との位置関係がどうであるかを間接的に検出することができる。この結果、情報取得結果に基づき、操作者の視野内の画像の表示態様を変化させることで、操作者にとっての仮想的な物品配置感覚を維持することができる。
【００１５】
第５発明の表示処理装置は、上記第４発明において、前記表示態様制御手段は、前記複数の表示用無線タグのうち第１情報取得手段での情報取得に成功した表示用無線タグの配置位置に応じて、前記所定の視野内における前記所定の表示画像の表示位置や表示大きさが変化するように、前記表示信号を生成することを特徴とする。
【００１６】
表示用無線タグとの無線通信において、アンテナ手段からの距離がある程度遠くなると第１情報取得手段による情報取得が不可能となる。同様に、表示用無線タグの位置がアンテナ手段の指向性の範囲からある程度外れると、第１情報取得手段による情報取得が不可能となる。したがって、複数の表示用無線タグそれぞれにおいて第１情報取得手段による情報取得ができたかどうかを検出することで、仮想投影部と操作者との距離や方向を間接的に検出することができる。これにより、情報取得結果に基づき、操作者の視野内の画像の表示大きさや表示位置を変化させることで、操作者にとっての仮想的な物品配置感覚を確実に維持することができる。
【００１７】
第６発明の表示処理装置は、上記第４又は第５発明において、前記表示態様制御手段は、前記表示用無線タグから第１情報取得手段での情報取得に成功したときの受信信号強度に応じて、前記所定の視野内における前記所定の表示画像の表示位置や表示大きさが変化するように、前記表示信号を生成することを特徴とする。
【００１８】
表示用無線タグとの無線通信において、アンテナ手段からの距離が遠くなるほどアンテナ手段での受信信号強度が小さくなる。したがって、表示用無線タグに対し第１情報取得手段で情報を取得できたとき、その受信信号強度がどうであったかを検出することで、仮想投影部と操作者との距離を間接的に検出することができる。これにより、受信信号強度に基づき操作者の視野内の画像の表示位置や表示大きさを変化させることで、操作者にとっての仮想的な物品配置感覚を確実に維持することができる。
【００１９】
第７発明の表示処理装置は、上記第３乃至第６発明のいずれかにおいて、前記アンテナ手段を介し、複数の前記操作者にそれぞれ関連付けられた複数の操作者用無線タグより、対応する操作者の識別情報を取得する第２情報取得手段を有し、前記表示態様制御手段は、前記第１情報取得手段で取得した前記画像関連情報及び前記表示位置情報と前記第２情報取得手段で取得した前記操作者の識別情報と、に対応して、前記所定の視野内の前記所定の表示画像の表示態様が変化するように、前記表示信号を生成することを特徴とする。
【００２０】
これにより、操作者が誰かに応じ、表示・非表示、表示大きさ、表示位置等を変えることができる。この結果、操作者ごとに個別カスタマイズが可能となり、利便性をさらに向上することができる。また操作者に応じた非表示設定が可能となることで、複数の操作者での仮想投影部の共用を確実に実現することができる。
【００２１】
第８発明の表示処理装置は、上記第３乃至第７発明のいずれかにおいて、前記アンテナ手段を介し、建造物や定置物に関連付けられた位置特定用無線タグより、対応する位置特定情報を取得する第３情報取得手段を有し、前記表示態様制御手段は、前記第１情報取得手段で取得した前記画像関連情報及び前記表示位置情報と、前記第２情報取得手段で取得した前記操作者の識別情報、及び、前記第３情報取得手段で取得した前記位置特定情報のうち少なくとも一方と、に対応して、前記所定の視野内の前記所定の表示画像の表示態様が変化するように、前記表示信号を生成することを特徴とする。
【００２２】
これにより、場所がどこであるかに応じても、表示・非表示、表示大きさ、表示位置等を変えることができる。この結果、場所ごとの個別カスタマイズが可能となり、利便性をさらに向上することができる。
【００２３】
上記目的を達成するために、第９発明の表示処理装置は、操作者の視覚に対し、所定の仮想投影部の自然像を含む所定の視野を付与可能に、前記操作者の頭部に保持される透過型の表示手段と、前記仮想投影部若しくは前記仮想投影部の近傍に配置され、タグ識別情報をそれぞれ記憶した少なくとも１つの表示用無線タグと、前記タグ識別情報と、当該タグ識別情報を備えた表示用無線タグに対応する、前記所定の視野内に少なくとも１つの所定の表示画像を表示させるための画像情報とを、互いに関連付けて格納したデータベースと、前記少なくとも１つの表示用無線タグに対し、無線通信を行うためのアンテナ手段と、前記アンテナ手段を介し、無線通信により前記タグ識別情報を取得するタグ識別情報取得手段と、前記タグ識別情報取得手段で取得した前記タグ識別情報に基づき、前記データベースにアクセスし、対応する前記画像情報を取得する画像情報取得手段とを有し、前記表示手段は、前記画像情報取得手段で取得した前記画像情報に基づき、前記所定の視野内に、前記仮想投影部の自然像に重ねるように前記所定の表示画像を表示することを特徴とする。
【００２４】
本願第９発明においては、操作者は、頭部に透過型の表示手段を装着して保持する。表示手段の中に見える操作者の視野には、仮想投影部の自然像が含まれている。このとき、仮想投影部には少なくとも１つの表示用無線タグが設けられる。この表示用無線タグにはタグ識別情報が記憶されており、アンテナ手段を介した無線通信により、タグ識別情報取得手段が表示用無線タグからタグ識別情報を取得する。一方、表示用無線タグには、読み取りを行ったときに表示手段に表示させる画像が定められており、データベースにおいて、各表示用無線タグのタグ識別情報と対応する画像情報とが予め関連付けられ、格納されている。
【００２５】
そこで、タグ識別情報取得手段で取得されたタグ識別情報をキーにして、画像情報取得手段がデータベースにアクセスし検索を行うことで、対応する画像情報を取得することができる。この取得された画像情報に基づき、表示手段での操作者の視野には、上記仮想投影部の自然像に加えて、画像情報に対応した所定の表示画像が重なるようにして表示される。
【００２６】
すなわち、操作者の視野において、仮想投影部の自然像上に、表示用無線タグからの読み取りに対応した所定の画像を表示することができる。この結果、操作者にとっては、仮想投影部に対し、所定の物品があたかも配置されてあるかのような感覚を与えることができる。したがって、現実に物品を配置しなくても、配置したのと同様の取り扱いや処理を電子的に行うことができる。この結果、物品整理や情報管理における操作者の利便性を向上することができる。また、複数の操作者における仮想投影部の共用等、多種多様な拡張や応用も可能となる。
【発明の効果】
【００２７】
本発明によれば、操作者に対し、表示画像があたかも現実に存在するかのような仮想的な実体感覚を与えることにより、物品整理や情報管理における操作者の利便性を向上することができる。
【発明を実施するための最良の形態】
【００２８】
以下、本発明の一実施の形態を図面を参照しつつ説明する。本実施形態は、本発明の表示処理システムを、デスクに設けた投影ボードに画像データを重ね合わせて表示させる表示処理システムに適用したものである。
【００２９】
図１は、本実施形態の表示処理装置１００を含む表示処理システムＴＳの全体構成を表すシステム構成図である。
【００３０】
図１において、表示処理システムＴＳは、操作者Ｍにより保持される表示処理装置１００と、この表示処理装置１００と無線ＬＡＮ等の無線通信によりアンテナ２０１を介して情報の送受信が可能な基地局２０２と、この基地局２０２と通信回線ＮＷを介し接続されたデータベース３００とを有している。
【００３１】
上記表示処理装置１００は、操作者Ｍの視覚に対し自然像を含む所定の視野ＦＶ（後述の図９等参照）を付与可能な表示装置１２０と、デスク１（後述の図６参照）に設けた投影ボード２（後述の図６参照）の近傍（本実施形態ではボードの四隅）に配置され、上記視野ＦＶ内に所定の画像データを表示させるためのタグＩＤ（画像関連情報。画像データに関連付けされている）及び当該画像データの表示位置を表す表示位置情報をそれぞれ記憶した少なくとも１つの表示用無線タグＴ（本実施形態では４つの表示用無線タグＴ１〜Ｔ４。後述の図６参照）に対し無線通信を行うための所定の指向性を備えたアンテナ１１０（アンテナ手段）と、上記アンテナ１１０を介し表示用無線タグＴと行う無線通信制御や、上記表示装置１２０による表示制御を行う制御装置１３０とを有している。上記アンテナ１１０、表示装置１２０、及び制御装置１３０は、操作者Ｍの頭部に保持される。
【００３２】
上記表示装置１２０（表示手段）は、操作者Ｍの身体に装着可能ないわゆるウェアラブルタイプの透過型ディスプレイを備えたものであり、操作者Ｍは、物品（デスク１や投影ボード２以外の物品や人物等、操作者Ｍが可視光線により肉眼で視認できる視認対象を全て含む）の自然像（表示装置１２０が生成した画像ではなく、可視光線により操作者Ｍの肉眼で視認される実像）をディスプレイを透過させて視野ＦＶの中に見ることができると共に、表示装置１２０により生成された表示画像を視野ＦＶの中で上記自然像に重ね合わせて見ることが可能となっている。本実施形態では、表示装置１２０として、網膜走査型ディスプレイを用いている（詳細は後述）。
【００３３】
また、上記アンテナ１１０（アンテナ手段）の指向性は、表示装置１２０の向きと同方向となるように固定的に設定されている。これにより、操作者Ｍが表示装置１２０を顔に装着した状態では、アンテナ１１０の指向性は操作者Ｍの顔の向きと同方向となり、図１に示すように、当該指向性に沿って操作者Ｍの顔の向きと同方向に所定範囲の通信領域Ｓが生成されるようになっている。
【００３４】
図２は、上記表示処理装置１００の機能構成を表す機能ブロック図である。
【００３５】
上記デスク１の投影ボード２に設けられた表示用無線タグＴ１〜Ｔ４は、情報を記憶するＩＣ回路部１５０及びこのＩＣ回路部１５０に接続されたタグアンテナ１５１を備えた無線タグ回路素子Ｔｏをそれぞれ有している。
【００３６】
制御装置１３０は、アンテナ１１０を介し上記表示用無線タグＴの無線タグ回路素子Ｔｏへ無線通信によりアクセスすると共に、その無線タグ回路素子Ｔｏから読み出された信号を処理する高周波回路１３１と、上記アンテナ２０１を介し基地局２０２と無線ＬＡＮによる通信を行うための無線ＬＡＮ通信部１３２と、上記高周波回路１３１、無線ＬＡＮ通信部１３２、及び表示装置１２０を含む表示処理装置１００全体の制御を行う制御回路１３３と、この制御回路１３３に接続され、情報を読み書き可能な記憶部１３４（ＲＡＭ等）とを有する。
【００３７】
表示装置１２０は、上述したように網膜走査型ディスプレイであり、上記制御装置１３０の制御回路１３３からの制御信号に基づき後述する光源ユニット１２２及び走査部１２３の制御を行う表示制御部１２１と、表示制御部１２１からの制御信号に基づき光を出射させる光源を有する光源ユニット１２２と、表示制御部１２１からの制御信号に基づき、光源ユニット１２２の出射光の波面曲率に変調を加えると共に水平及び垂直方向に走査を行い、操作者Ｍの瞳孔へ入射角を変化させつつ光束を照射する走査部１２３とを有する。
【００３８】
データベース３００は、例えばハードディスクや大容量メモリ等により構成されており、上記表示用無線タグＴ１〜Ｔ４の各無線タグ回路素子ＴｏのタグＩＤと、各タグＩＤに対応した上述の視野ＦＶ内に所定の表示画像を表示させるための画像データ（画像情報）とを、それぞれ関連付けて格納している。このデータベース３００は、通信回線ＮＷ、基地局２０２、アンテナ２０１を介し、無線ＬＡＮによる通信により表示処理装置１００の制御回路１３３と情報の送受信が可能である。これにより、表示処理装置１００においてアンテナ１１０を介し表示用無線タグＴから情報（タグＩＤ）の読み取りを行った際に、当該タグＩＤに係る画像データについてデータベース３００を検索し、該当する画像データを通信回線ＮＷ、基地局２０２、及びアンテナ２０１を介して表示処理装置１００が取得することが可能となっている。
【００３９】
なお、上記ではデータベース３００を表示処理装置１００とは別に設ける構成としたが、これに限られず、表示処理装置１００がデータベース３００を有する構成としてもよい。
【００４０】
図３は、表示装置１２０の詳細な機能構成を表す機能ブロック図である。
【００４１】
図３において、表示制御部１２１は、制御回路１３３からの制御信号に基づき表示画像データを計算し、Ｒ光源１１、Ｇ光源１２、Ｂ光源１３に対する強度変調信号、波面曲率変調部１９への制御信号、及び光束偏向系２０への同期信号等を生成する。これらの各種計算のアルゴリズムはコンピュータグラフィックス分野で常用されている公知技術であり、ここでは説明を省略する。Ｒ，Ｇ，Ｂ各光源１１，１２，１３からの出射光は、コリメートレンズ１４ａ，１４ｂ，１４ｃによって略平行光束に成形された後、波長選択性ミラー１５，１６，１７によって合波され、フォーカスレンズ１４ｄによって光ファイバ１８の一端に入射される。この光ファイバ１８の他端よりの出射光は、コリメートレンズ１４ｅによって略平行な光束に変換され、波面曲率変調部１９に入射される。この波面曲率変調部１９は、上記表示制御部１２１からの制御信号に従って、入射光束の波面曲率（平行度）に変調を加える。波面曲率変調部１９からの出射光束は、光束偏向系２０へ入射される。光束偏向系２０は、図示しない複数のレンズとポリゴンミラーによって操作者Ｍの瞳孔へ入射角を変化させつつ光束を照射する。
【００４２】
表示装置１２０は、以上のような構成である光学系を２系列具備しており、操作者Ｍの両眼に光束を供給する。これにより、操作者Ｍは、物品（デスク１や投影ボード２等）の自然像をディスプレイを透過させて視野ＦＶの中に見ることができると共に、上記のようにして行われる瞳孔への照射により可視化された表示画像を表示装置１２０の視野ＦＶの中で上記自然像に重ね合わせて見ることが可能となっている。
【００４３】
図４は、上記高周波回路１３１の詳細構成を表す機能ブロック図である。
【００４４】
この図４において、高周波回路１３１は、上記アンテナ１１０を介し上記無線タグ回路素子ＴｏのＩＣ回路部１５０の情報へアクセスするものであり、また表示処理装置１００の制御回路１３３は無線タグ回路素子ＴｏのＩＣ回路部１５０から読み出された信号を処理して情報を読み出すと共に無線タグ回路素子ＴｏのＩＣ回路部１５０へアクセスするための各種コマンドを生成するものである。
【００４５】
高周波回路１３１は、アンテナ１１０を介し無線タグ回路素子Ｔｏに対して信号を送信する送信部１４２と、アンテナ１１０により受信された無線タグ回路素子Ｔｏからの応答波を入力する受信部１４３と、送受分離器１４４とから構成される。
【００４６】
送信部１４２は、無線タグ回路素子ＴｏのＩＣ回路部１５０の無線タグ情報にアクセスするための質問波を生成するブロックである。すなわち、送信部１４２は、周波数の基準信号を出力する水晶振動子１４５Ａと、制御回路１３３の制御により水晶振動子１４５Ａの出力を分周／遁倍して所定周波数の搬送波を発生させるＰＬＬ（Ｐｈａｓｅ  Ｌｏｃｋｅｄ  Ｌｏｏｐ）１４５Ｂ、及びＶＣＯ（Ｖｏｌｔａｇｅ  Ｃｏｎｔｒｏｌｌｅｄ  Ｏｓｃｉｌｌａｔｏｒ）１４５Ｃと、上記制御回路１３３から供給される信号に基づいて上記発生させられた搬送波を変調（この例では制御回路１３３からの「ＴＸ＿ＡＳＫ」信号に基づく振幅変調）する送信乗算回路１４６（但し振幅変調の場合は増幅率可変アンプ等を用いてもよい）と、その送信乗算回路１４６により変調された変調波を増幅（この例では制御回路１３３からの「ＴＸ＿ＰＷＲ」信号によって増幅率を決定される増幅）して所望の質問波を生成する可変送信アンプ１４７とを備えている。そして、上記発生される搬送波は、例えばＵＨＦ帯（又はマイクロ波帯、あるいは短波帯でもよい）の周波数を用いており、上記可変送信アンプ１４７の出力は、送受分離器１４４を介しアンテナ１１０に伝達されて無線タグ回路素子ＴｏのＩＣ回路部１５０に供給される。なお、質問波は上記のように変調した信号（変調波）に限られず、単なる搬送波のみの場合もある。
【００４７】
受信部１４３は、アンテナ１１０で受信された無線タグ回路素子Ｔｏからの応答波と上記搬送波とを乗算して復調するＩ相受信乗算回路１４８と、そのＩ相受信乗算回路１４８の出力から必要な帯域の信号のみを取り出すためのＩ相バンドパスフィルタ１４９と、このＩ相バンドパスフィルタ１４９の出力を増幅するＩ相受信アンプ１６２と、このＩ相受信アンプ１６２の出力をさらに増幅してデジタル信号に変換するＩ相リミッタ１６３と、上記アンテナ１１０で受信された無線タグ回路素子Ｔｏからの応答波と上記搬送波が移相器１６７により位相を９０°遅らせた信号とを乗算するＱ相受信乗算回路１７２と、そのＱ相受信乗算回路１７２の出力から必要な帯域の信号のみを取り出すためのＱ相バンドパスフィルタ１７３と、このＱ相バンドパスフィルタ１７３の出力を増幅するＱ相受信アンプ１７５と、このＱ相受信アンプ１７５の出力をさらに増幅してデジタル信号に変換するＱ相リミッタ１７６とを備えている。そして、上記Ｉ相リミッタ１６３から出力される信号「ＲＸＳ−Ｉ」及びＱ相リミッタ１７６から出力される信号「ＲＸＳ−Ｑ」は、上記制御回路１３３に入力されて処理される。
【００４８】
また、Ｉ相受信アンプ１６２及びＱ相受信アンプ１７５の出力は、強度検出手段としてのＲＳＳＩ（Ｒｅｃｅｉｖｅｄ  Ｓｉｇｎａｌ  Ｓｔｒｅｎｇｔｈ  Ｉｎｄｉｃａｔｏｒ)回路１７８にも入力され、それらの信号の強度を示す信号「ＲＳＳＩ」が制御回路１３３に入力される。これにより、表示処理装置１００では、無線タグ回路素子Ｔｏとの通信時における当該無線タグ回路素子Ｔｏからの信号の受信強度を検出することが可能となっている。
【００４９】
図５は、上記無線タグ回路素子Ｔｏの機能的構成の一例を表す機能ブロック図である。
【００５０】
この図５において、無線タグ回路素子Ｔｏは、上述したように表示処理装置１００のアンテナ１１０と非接触で信号の送受信を行う上記タグアンテナ１５１と、このタグアンテナ１５１に接続された上記ＩＣ回路部１５０とを有している。
【００５１】
ＩＣ回路部１５０は、タグアンテナ１５１により受信された質問波を整流する整流部１５２と、この整流部１５２により整流された質問波のエネルギを蓄積し駆動電源とするための電源部１５３と、上記タグアンテナ１５１により受信された質問波からクロック信号を抽出して制御部１５７に供給するクロック抽出部１５４と、所定の情報信号を記憶し得るメモリ部１５５と、上記タグアンテナ１５１に接続された変復調部１５６と、上記メモリ部１５５、クロック抽出部１５４、及び変復調部１５６等を介し上記無線タグ回路素子Ｔｏの作動を制御するための上記制御部１５７とを備えている。
【００５２】
変復調部１５６は、タグアンテナ１５１により受信された上記表示処理装置１００のアンテナ１１０からの質問波の復調を行い、また、上記制御部１５７からの返信信号を変調し、タグアンテナ１５１より応答波（タグＩＤを含む信号）として送信する。
【００５３】
クロック抽出部１５４は受信した信号からクロック成分を抽出し、当該クロック成分の周波数に対応したクロックを制御部１５７に供給する。
【００５４】
制御部１５７は、上記変復調部１５６により復調された受信信号を解釈し、上記メモリ部１５５において記憶された情報信号に基づいて返信信号を生成し、この返信信号を上記変復調部１５６により上記タグアンテナ１５１から返信する制御等の基本的な制御を実行する。
【００５５】
図６は、操作者Ｍが使用するデスク１の全体構造を表す正面図である。
【００５６】
図６に示すように、デスク１は投影ボード２（仮想投影部）を有しており、前述したように、投影ボード２の四隅には４つの表示用無線タグＴ１〜Ｔ４（表示用無線タグ）がそれぞれ配置されている。投影ボード２の表面は例えば白色のスクリーンで覆われた構造となっており、表示処理装置１００の表示装置１２０により生成された表示画像を仮想的に投影（言い換えれば、操作者Ｍの視覚に対し、投影ボード２の自然像に表示画像を重ね合わせた視野ＦＶを付与）させるのに適した構造となっている。なお、デスク１上には、操作者Ｍが使用するＰＣ端末３が載置されている。
【００５７】
図７及び図８は、表示用無線タグＴ１〜Ｔ４の各無線タグ回路素子Ｔｏの上記メモリ部１５５の記憶内容を表す図であり、図７は表示用無線タグＴ１〜Ｔ４の各無線タグ回路素子ＴｏのタグＩＤとそれぞれ関連付けられた画像データの内容、図８はこれら各画像データの表示位置に対応した表示位置情報の内容を表す図である。
【００５８】
図７において、表示用無線タグＴ１〜Ｔ４の各無線タグ回路素子Ｔｏには、タグＩＤとして、ＩＤ１，ＩＤ２，ＩＤ３，ＩＤ４がそれぞれ記憶されている。各タグＩＤであるＩＤ１，ＩＤ２，ＩＤ３，ＩＤ４には、操作者Ｍのビジネス予定表、プライベート予定表及び写真（例えば操作者Ｍの家族写真や好きな風景の写真等、プライベートに関する写真）、ＰＣサブ画面（操作者ＭのＰＣ端末３での作業を補助するための適宜の情報を表示する画面）、付箋（適宜の情報が書き込まれている）の画像データがそれぞれ関連付けられており、これらＩＤ１，ＩＤ２，ＩＤ３，ＩＤ４とそれぞれ関連付けられた各画像データは、データベース３００に格納されている。
【００５９】
図８において、表示用無線タグＴ１〜Ｔ４の各無線タグ回路素子Ｔｏには、上記タグＩＤと共に表示位置情報がそれぞれ記憶されている。表示位置情報は、表示装置１２０によって付与される上述した視野ＦＶにおける座標で表されており（後述の図９等参照）、表示用無線タグＴ１〜Ｔ４のそれぞれについて、同時に検出された無線タグ（言い換えれば通信領域Ｓ内に同時に存在する無線タグ）の種類に応じて複数の異なる座標が記憶されている。例えば表示用無線タグＴ１の場合には、図８（ａ）に示すように、表示用無線タグＴ１〜Ｔ４が全て検出された場合、表示用無線タグＴ１，Ｔ２のみが検出された場合、表示用無線タグＴ１，Ｔ４のみが検出された場合、及び表示用無線タグＴ１のみが検出された場合の４種類の座標が記憶されている。なお、表示用無線タグＴ１，Ｔ３（又はＴ２，Ｔ４）のみが検出される場合はその位置関係から可能性が低いため、ここでは設定していない。
【００６０】
同様に、表示用無線タグＴ２の場合には、図８（ｂ）に示すように、表示用無線タグＴ１〜Ｔ４が全て検出された場合、表示用無線タグＴ１，Ｔ２のみが検出された場合、表示用無線タグＴ２，Ｔ３のみが検出された場合、及び表示用無線タグＴ２のみが検出された場合の４種類の座標が記憶されている。なお、図８（ｂ）において座標が上下２段となっているのは、前述したように表示用無線タグＴ２がプライベート予定表及び写真の２つの画像に対応しているからであり、上段の座標がプライベート予定表、下段の座標が写真に対応している。また表示用無線タグＴ３の場合には、図８（ｃ）に示すように、表示用無線タグＴ１〜Ｔ４が全て検出された場合、表示用無線タグＴ２，Ｔ３のみが検出された場合、表示用無線タグＴ３，Ｔ４のみが検出された場合、及び表示用無線タグＴ３のみが検出された場合の４種類の座標が記憶されている。また表示用無線タグＴ４の場合には、図８（ｄ）に示すように、表示用無線タグＴ１〜Ｔ４が全て検出された場合、表示用無線タグＴ１，Ｔ４のみが検出された場合、表示用無線タグＴ３，Ｔ４のみが検出された場合、及び表示用無線タグＴ４のみが検出された場合の４種類の座標が、それぞれ記憶されている。
【００６１】
図９は、表示処理装置１００のアンテナ１１０を介し表示用無線タグＴ１〜Ｔ４が全て検出された場合（言い換えれば通信領域Ｓ内に表示用無線タグＴ１〜Ｔ４が全て存在する場合）に、操作者Ｍの視覚に対し表示装置１２０により付与される視野ＦＶを表す図である。なお、以下において、視野ＦＶにおける座標は、略長方形状の視野ＦＶの左下頂点を原点Ｏ（０，０）とするＸＹ座標系で構成されており、視野ＦＶの右下頂点の座標が（１００，０）、左上頂点の座標が（０，５０）、右上頂点の座標が（１００，５０）となっている。
【００６２】
この図９に示すように、デスク１の投影ボード２において、表示用無線タグＴ１に関連付けられたビジネス予定表の画像データ４（以下単に「ビジネス予定表４」と記載する）が、表示用無線タグＴ１〜Ｔ４が全て検出された場合の表示位置（視野ＦＶにおける座標（３０，４０）。図８（ａ）参照）に表示されている。また、表示用無線タグＴ２に関連付けられたプライベート予定表の画像データ５（以下単に「プライベート予定表５」と記載する）及び写真の画像データ６（以下単に「写真６」と記載する）が、表示用無線タグＴ１〜Ｔ４が全て検出された場合の表示位置（視野ＦＶにおける座標（５０，４０）及び（７０，４０）。図８（ｂ）参照）にそれぞれ表示されている。また、表示用無線タグＴ３に関連付けられたＰＣサブ画面の画像データ７（以下単に「ＰＣサブ画面７」と記載する）が、表示用無線タグＴ１〜Ｔ４が全て検出された場合の表示位置（視野ＦＶにおける座標（６０，２０）。図８（ｃ）参照）に表示されている。また、表示用無線タグＴ４に関連付けられた付箋の画像データ８（以下単に「付箋８」と記載する）が、表示用無線タグＴ１〜Ｔ４が全て検出された場合の表示位置（視野ＦＶにおける座標（２０，１０）。図８（ｄ）参照）に表示されている。
【００６３】
なお、各画像データ４〜８は、当該各画像データ４〜８の中心位置（又は四隅の頂点などその他の位置でもよい）が上記表示位置情報の各座標に一致するように表示される。また、各画像データ４〜８の表示サイズは、各表示用無線タグＴ１〜Ｔ４からの受信信号の強度に基づき、操作者Ｍ（正確にはアンテナ１１０。以下同様）から各表示用無線タグＴ１〜Ｔ４までの距離（言い換えると操作者Ｍから投影ボード２までの距離）に応じた大きさで、それぞれ表示されるようになっている。なお、このときの画像データの表示サイズは、受信信号の強度（又は操作者Ｍから各表示用無線タグＴまでの距離）に応じてその都度演算により決定するようにしてもよいし、画像データの表示サイズと受信信号の強度（又は操作者Ｍから各表示用無線タグＴまでの距離）とを段階的に対応付けて例えば記憶部１３４に予めテーブルとして記憶させておき、当該テーブルを参照することにより表示サイズを決定してもよい。
【００６４】
図１０は、上記図９に示す状態から操作者Ｍが視野ＦＶを図９中右方向に移動させた結果、表示処理装置１００のアンテナ１１０を介し表示用無線タグＴ２，Ｔ３のみが検出される状態になった場合（言い換えれば通信領域Ｓ内に表示用無線タグＴ２，Ｔ３のみが存在する場合）に、操作者Ｍの視覚に対し表示装置１２０により付与される視野ＦＶを表す図である。
【００６５】
この図１０に示すように、デスク１の投影ボード２において、表示用無線タグＴ２に関連付けられたプライベート予定表５及び写真６が、表示用無線タグＴ２，Ｔ３のみが検出された場合の表示位置（視野ＦＶにおける座標（１０，３０）及び（３０，３０）。図８（ｂ）参照）にそれぞれ表示されている。また、表示用無線タグＴ３に関連付けられたＰＣサブ画面７が、表示用無線タグＴ２，Ｔ３のみが検出された場合の表示位置（視野ＦＶにおける座標（２０，２０）。図８（ｃ）参照）に表示されている。
【００６６】
なお、このときの各画像データ５〜７の表示サイズは、操作者Ｍから各表示用無線タグＴ２，Ｔ３までの距離が上記図９の場合と同等であるため、図９の場合と同じ大きさでそれぞれ表示される。また、図１０に示す例では、プライベート予定表５の視野ＦＶからはみ出した部分（左端部分）については表示しないようにしているが、例えば、部分的に視野ＦＶからはみ出す画像については画像全体を表示しないようにしてもよいし、座標を変更して画像全体が視野ＦＶ内に収まるように表示してもよい。
【００６７】
図１１は、上記図１０に示す状態から操作者Ｍが投影ボード２に接近した結果、表示処理装置１００のアンテナ１１０を介し表示用無線タグＴ２のみが検出される状態になった場合（言い換えれば通信領域Ｓ内に表示用無線タグＴ２のみが存在する場合）に、操作者Ｍの視覚に対し表示装置１２０により付与される視野ＦＶを表す図である。
【００６８】
この図１１に示すように、デスク１の投影ボード２において、表示用無線タグＴ２に関連付けられたプライベート予定表５及び写真６が、表示用無線タグＴ２のみが検出された場合の表示位置（視野ＦＶにおける座標（３０，２０）及び（７０，２０）。図８（ｂ）参照）にそれぞれ表示されている。また、このときの各画像データ５，６の表示サイズは、表示用無線タグＴ２からの受信信号の強度に基づき、操作者Ｍから各表示用無線タグＴ２までの距離が上記図９及び図１０に示す場合より近くなっていることが検出されることから、図９及び図１０の場合より拡大してそれぞれ表示される。
【００６９】
図１２は、表示処理装置１００の制御回路１３３によって実行される制御内容を表すフローチャートである。
【００７０】
ステップＳ５では、制御回路１３３は、上記高周波回路１３１の送信部１４２に制御信号を送信し、水晶振動子１４５Ａ、ＰＬＬ１４５Ｂ、及びＶＣＯ１４５Ｃから例えばＵＨＦ帯（例えば９１５ＭＨｚ）の搬送波を発生させ、制御信号に基づいて発生した搬送波を変調・増幅させ、送受分離器１４４及びアンテナ１１０を介し、通信領域Ｓ内に存在する表示用無線タグＴの無線タグ回路素子ＴｏのＩＣ回路部１５０に対して読み取り信号を送信する。
【００７１】
ステップＳ１０では、制御回路１３３は、通信領域Ｓ内に存在する表示用無線タグＴの無線タグ回路素子ＴｏのＩＣ回路部１５０から上記読み取り信号に対応したリプライ信号（応答信号）を受信したか否かを判定する。受信しない場合には、判定が満たされずに上記ステップＳ５に戻る。一方、受信した場合には、判定が満たされてステップＳ１５に移る。
【００７２】
ステップＳ１５では、制御回路１３３は、上記ステップＳ１０で受信したリプライ信号に基づき、対応する表示用無線タグＴの無線タグ回路素子ＴｏのＩＣ回路部１５０に記憶されたタグＩＤ及び表示位置情報を取得する。
【００７３】
ステップＳ２０では、制御回路１３３は、無線ＬＡＮ通信、基地局２０２、及び通信回線ＮＷを介してデータベース３００にアクセスし、データベース３００を検索して、上記ステップＳ１５で取得したタグＩＤに係る画像データを取得する。
【００７４】
ステップＳ２５では、制御回路１３３は、上記画像データを取得した表示用無線タグＴ以外に、上記ステップＳ５及びステップＳ１０による情報読み取りにより同時に検出された表示用無線タグＴ（言い換えれば通信領域Ｓ内に同時に存在する表示用無線タグＴ）が他にあるか否かを判定する。他の表示用無線タグＴが存在する場合には、判定が満たされて先のステップＳ５に戻り、再び情報読み取りを行う。一方、他の表示用無線タグＴが存在しない場合には、判定が満たされずに、ステップＳ３０に移る。
【００７５】
ステップＳ３０では、制御回路１３３は、上記ステップＳ１５で取得した表示位置情報と、同時に検出された表示用無線タグＴの種類に応じて、画像データの表示位置を決定する（前述の図８参照）。
【００７６】
ステップＳ３５では、制御回路１３３は、前述のＲＳＳＩ回路１７８から入力される信号の強度を示す信号「ＲＳＳＩ」に基づき、上記ステップＳ１０で受信したリプライ信号の受信信号強度を検出し、当該受信信号強度に基づき画像データの表示サイズを決定する。なお、前述したように、このときの画像データの表示サイズは、受信信号強度に応じてその都度演算により決定するようにしてもよいし、画像データの表示サイズと受信信号強度（又は操作者Ｍから各表示用無線タグＴまでの距離）とを対応付けて予めテーブルとして記憶させておき、当該テーブルを参照することにより表示サイズを決定してもよい。
【００７７】
ステップＳ４０では、制御回路１３３は、上記ステップＳ２０で取得した画像データと、上記ステップＳ３０及びステップＳ３５で決定した表示位置及び表示サイズに基づき、表示装置１２０の表示制御部１２１に表示信号を出力する。これにより、表示制御部１２１は光源ユニット１２２及び走査部１２３に制御信号を出力し、光源からの出射光が変調・走査されて操作者Ｍの瞳孔へ入射角を変化させつつ照射される。その結果、表示装置１２０の視野ＦＶ内において、画像データの可視化表示が行われる。そして、本フローを終了する。
【００７８】
上記において、ステップＳ１５が、特許請求の範囲各項記載のアンテナ手段を介し、無線通信により画像関連情報を取得する第１情報取得手段を構成すると共に、アンテナ手段を介し、無線通信によりタグ識別情報を取得するタグ識別情報取得手段を構成し、ステップＳ２０が、タグ識別情報取得手段で取得したタグ識別情報に基づき、データベースにアクセスし、対応する画像情報を取得する画像情報取得手段を構成する。
【００７９】
また、ステップＳ３０及びステップＳ３５が、仮想投影部の操作者からの距離又は方向に応じて、所定の視野内における所定の表示画像の表示位置や表示大きさが変化するように、表示信号を生成する表示態様制御手段を構成し、これらステップＳ３０及びステップＳ３５と、ステップＳ４０とが、第１情報取得手段で取得した画像関連情報に基づき、所定の視野内に、仮想投影部の自然像に重ねるように所定の表示画像を表示手段に表示させるための表示信号を生成する表示信号生成手段を構成する。
【００８０】
以上説明した実施形態においては、操作者Ｍは、頭部に透過型の表示装置１２０を装着して保持する。表示装置１２０の中に見える操作者Ｍの視野ＦＶには、投影ボード２の自然像が含まれている。このとき、投影ボード２には少なくとも１つの表示用無線タグＴが設けられる。この表示用無線タグＴの無線タグ回路素子Ｔｏには、画像データと関連付けられたタグＩＤが記憶されており、アンテナ１１０を介した無線通信により、表示用無線タグＴからタグＩＤが取得される。この取得されたタグＩＤに関連付けられた画像データに基づいて生成された表示信号に基づき、表示装置１２０での操作者Ｍの視野ＦＶには、上記投影ボード２の自然像に加えて、画像データに対応した所定の表示画像が重なるようにして表示される。
【００８１】
すなわち、操作者Ｍの視野ＦＶにおいて、投影ボード２の自然像上に、表示用無線タグＴからの情報読み取りに対応した所定の画像を表示することができる。この結果、操作者Ｍにとっては、投影ボード２に対し、所定の画像に対応した所定の物品があたかも配置されてあるかのような感覚（仮想的な物品配置感覚）を与えることができる。したがって、現実に物品を配置しなくても、配置したのと同様の取り扱いや処理を電子的に行うことができる。この結果、物品整理や情報管理における操作者Ｍの利便性を向上することができる。また、複数の操作者Ｍにおける投影ボード２の共用等、多種多様な拡張や応用も可能となる。
【００８２】
また、本実施形態では特に、表示処理装置１００において、表示用無線タグＴの無線タグ回路素子Ｔｏに記憶された表示位置情報をアンテナ１１０を介して取得する。これにより、表示用無線タグＴの情報読み取りに対応して所定の画像データを操作者Ｍの視野ＦＶ内において表示させるとき、当該画像データを視野ＦＶ内のどの位置に表示させるかを画像ごとに設定することができる。すなわち、操作者Ｍの仮想的な物品配置感覚における配置位置を設定することができる。この結果、さらに操作者Ｍの利便性を向上することができる。
【００８３】
また、本実施形態では特に、表示処理装置１００において、投影ボード２の操作者Ｍからの距離又は方向に応じて、視野ＦＶ内における画像データの表示位置や表示サイズを変化させる。これにより、例えば操作者Ｍが投影ボード２に近づき距離が短くなったときにはそれに対応して視野ＦＶの中の画像データを大きくしたり、操作者Ｍ（表示処理装置１００）の投影ボード２に対する向きが変わり投影ボード２の局所的な部分に操作者Ｍの方向が向いたときには、それに対応して視野ＦＶにおける画像データの表示を横にずらす等を行うことができる。この結果、現実の物品が配置されているときに操作者Ｍが近づいたり方向を変えたりしたときと同様の視覚的効果を与えることができるので、操作者Ｍにとっての仮想的な物品配置感覚を維持することができる。
【００８４】
また、本実施形態では特に、複数の表示用無線タグＴ１〜Ｔ４を投影ボード２の所定の位置（本実施形態では四隅）に配置しておき、それら表示用無線タグＴ１〜Ｔ４それぞれにおける情報取得結果（情報読み取りが成功したか否か、あるいは受信信号強度はどうか等）に応じて、操作者Ｍの視野ＦＶ内の画像の表示態様（表示位置及び表示サイズ）を変化させる。これにより、投影ボード２と操作者Ｍとの位置関係がどうであるかを間接的に検出し、その結果に応じて表示態様（表示位置及び表示サイズ）を変化させることができ、操作者Ｍにとっての仮想的な物品配置感覚を維持することができる。
【００８５】
また、本実施形態では特に、表示処理装置１００において、表示用無線タグＴ１〜Ｔ４の位置がアンテナ１１０の指向性の範囲（通信領域Ｓ）からある程度外れると、表示処理装置１００による情報取得が不可能となる。したがって、複数の表示用無線タグＴ１〜Ｔ４それぞれにおいて表示処理装置１００による情報取得ができたかどうかを検出することで、操作者Ｍの投影ボード２に対する向きを間接的に検出することができる。これにより、情報取得結果に基づき、操作者Ｍの視野ＦＶ内の画像データの表示位置を変化させることで、操作者Ｍにとっての仮想的な物品配置感覚を確実に維持することができる。
【００８６】
また、本実施形態では特に、表示用無線タグＴ１〜Ｔ４との無線通信において、アンテナ１１０からの距離が遠くなるほどアンテナ１１０での受信信号強度が小さくなる。したがって、表示用無線タグＴ１〜Ｔ４に対しアンテナ１１０を介し情報を取得できたとき、その受信信号強度がどうであったかを検出することで、投影ボード２と操作者Ｍとの距離を間接的に検出することができる。これにより、受信信号強度に基づき操作者Ｍの視野ＦＶ内の画像データの表示サイズを変化させることで、操作者Ｍにとっての仮想的な物品配置感覚を確実に維持することができる。
【００８７】
なお、本発明は、上記実施形態に限られるものではなく、その趣旨及び技術的思想を逸脱しない範囲内で種々の変形が可能である。以下、そのような変形例を順を追って説明する。
【００８８】
（１）操作者を識別する場合
上記実施形態では特に考慮しなかったが、例えば操作者を識別し、操作者に応じて表示内容を変更するようにしてもよい。
【００８９】
図１３は、本変形例において、表示処理装置１００のアンテナ１１０を介し表示用無線タグＴ１〜Ｔ４が全て検出された場合（言い換えれば通信領域Ｓ内に表示用無線タグＴ１〜Ｔ４が全て存在する場合）に、操作者Ｍの視覚に対し表示装置１２０により付与される視野ＦＶを表す図であり、図１３（ａ）はデスク１のユーザである操作者Ｍの場合、図１３（ｂ）はデスク１のユーザでない操作者Ｍの場合を表している。なお、これら図１３（ａ）及び図１３（ｂ）において、前述の図９と同様の部分には同符号を付し説明を省略する。
【００９０】
図１３（ａ）は図１３（ｂ）との比較のために示すものであり、前述の図９と同等の内容である。すなわち、デスク１のユーザである操作者Ｍが表示処理装置１００を装着した場合には、投影ボード２において、ビジネス予定表４、プライベート予定表５、写真６、ＰＣサブ画面７、及び付箋８の全ての画像データが表示される。
【００９１】
これに対し、図１３（ｂ）に示すように、デスク１のユーザでない操作者Ｍが表示処理装置１００を装着した場合には、投影ボード２において、ビジネス予定表４、ＰＣサブ画面７、及び付箋８のビジネスに関連する画像データが表示され、デスク１のユーザである操作者Ｍのプライベート情報である、プライベート予定表５及び写真６については、表示されないようになっている。
【００９２】
図１４は、本変形例において、表示処理装置１００の制御回路１３３によって実行される制御内容を表すフローチャートである。この図１４において、前述の図１２と同様の手順には同符号を付し、説明を省略する。
【００９３】
ステップＳ１では、制御回路１３３は、上記高周波回路１３１の送信部１４２に制御信号を送信し、水晶振動子１４５Ａ、ＰＬＬ１４５Ｂ、及びＶＣＯ１４５Ｃから例えばＵＨＦ帯（例えば９１５ＭＨｚ）の搬送波を発生させ、制御信号に基づいて発生した搬送波を変調・増幅させ、送受分離器１４４及びアンテナ１１０を介し、操作者Ｍが所持する操作者用無線タグＴｍ（図示せず）の無線タグ回路素子ＴｏのＩＣ回路部１５０に対して読み取り信号を送信する。なお、この操作者用無線タグＴｍの読み取りは、例えば操作者Ｍが当該無線タグＴｍを手にとってアンテナ１１０の通信領域Ｓ内にかざす等により行えばよい。また、操作者用無線タグＴｍは、前述の表示用無線タグＴ（Ｔ１〜Ｔ４）と同様の構成である。
【００９４】
ステップＳ２では、制御回路１３３は、通信領域Ｓ内に存在する操作者用無線タグＴｍの無線タグ回路素子ＴｏのＩＣ回路部１５０から上記読み取り信号に対応したリプライ信号（応答信号）を受信したか否かを判定する。受信しない場合には、判定が満たされずに上記ステップＳ１に戻る。一方、受信した場合には、判定が満たされてステップＳ３に移る。
【００９５】
ステップＳ３では、制御回路１３３は、上記ステップＳ２で受信したリプライ信号に基づき、対応する操作者用無線タグＴｍの無線タグ回路素子ＴｏのＩＣ回路部１５０に記憶された操作者識別情報（例えば氏名、社員番号等）を取得する。なお、この無線タグ回路素子Ｔｏに記憶された操作者識別情報は、操作者識別情報と関連付けられたタグＩＤでもよいし、操作者識別情報そのものでもよい。
【００９６】
ステップＳ５〜ステップＳ３５は、前述の図１２と同様であるので説明を省略する。
【００９７】
ステップＳ３７では、制御回路１３３は、上記ステップＳ３で取得した操作者識別情報に基づき、表示処理装置１００を保持した操作者Ｍが、デスク１のユーザであるか否かを判定する。ユーザである場合には、ステップＳ４０に移り、制御回路１３３は、上記ステップＳ２０で取得した全ての画像データと、上記ステップＳ３０及びステップＳ３５で決定した表示位置及び表示サイズに基づき、表示装置１２０の表示制御部１２１に表示信号を出力する。これにより、表示装置１２０の視野ＦＶ内において、全ての画像データの可視化表示が行われる。そして、本フローを終了する。
【００９８】
一方、上記ステップＳ３７において、操作者Ｍがデスク１のユーザでない場合には、ステップＳ４５に移り、制御回路１３３は、上記ステップＳ２０で取得した画像データのうち、デスク１のユーザのプライベート情報でない汎用画像データと、上記ステップＳ３０及びステップＳ３５で決定した表示位置及び表示サイズに基づき、表示装置１２０の表示制御部１２１に表示信号を出力する。これにより、表示装置１２０の視野ＦＶ内において、デスク１のユーザのプライベート情報でない汎用画像データ（上述の図１３（ｂ）参照）の可視化表示が行われる。そして、本フローを終了する。
【００９９】
上記において、ステップＳ３は、特許請求の範囲各項記載のアンテナ手段を介し、複数の操作者にそれぞれ関連付けられた複数の操作者用無線タグより、対応する操作者の識別情報を取得する第２情報取得手段を構成し、ステップＳ３０、ステップＳ３５、ステップＳ３７、ステップＳ４０、及びステップＳ４５が、第１情報取得手段で取得した画像関連情報及び表示位置情報と第２情報取得手段で取得した操作者の識別情報とに対応して、所定の視野内の所定の表示画像の表示態様が変化するように、表示信号を生成する表示態様制御手段を構成する。
【０１００】
以上説明した変形例によれば、操作者Ｍが誰かに応じ、表示・非表示を変えることができる。この結果、プライベート情報の非表示設定が可能となるので、操作者Ｍのプライバシー情報の表示を安全に行うことができる。またその結果、複数の操作者Ｍでの投影ボード２の共用を確実に実現することができる。
【０１０１】
なお、上記では、操作者Ｍが誰かに応じ、表示・非表示のみ変更するようにしたが、操作者Ｍに応じて表示態様（表示大きさ、表示位置等）を変更するようにしてもよい。この場合、操作者Ｍごとに個別カスタマイズが可能となり、利便性をさらに向上することができる。
【０１０２】
（２）画像データの配置の変形例
デスク１の投影ボード２における画像データの配置は、上記実施形態のものに限られず、種々多様な配置が可能である。
【０１０３】
図１５はその一例を示す図であり、前述した図９に対し、ビジネス予定表４とプライベート予定表５の配置が逆になっている例である。この場合、表示用無線タグと画像データとの対応関係は変更せずに（すなわち表示用無線タグＴ１にビジネス予定表４の画像データ（タグＩＤ）、表示用無線タグＴ２にプライベート予定表５及び写真６の画像データ（タグＩＤ）を記憶）、表示用無線タグＴ１，Ｔ２の表示位置情報（座標）を変更すればよい。あるいは、表示用無線タグと画像データとの対応関係を変更し（すなわち表示用無線タグＴ１にプライベート予定表５の画像データ（タグＩＤ）、表示用無線タグＴ２にビジネス予定表４及び写真６の画像データ（タグＩＤ）を記憶）、表示位置情報（座標）については図９と同様として対応してもよい。
【０１０４】
（３）表示装置の変形例
以上では、表示装置１２０として網膜走査型ディスプレイを用いたが、操作者Ｍの身体に装着可能ないわゆるウェアラブルタイプの透過型ディスプレイであれば、その他の表示装置を用いてもよい。
【０１０５】
図１６は、その他の表示装置の一例である反射型のヘッドマウントディスプレイの構成を概念的に表す図である。
【０１０６】
本変形例の表示装置１８０は、生成された画像を表示する画像表示部１８１と、可視光線を透過させると共に、特定の波長又は帯域の光線を反射させる性質を有するハーフミラー１８２と、これら画像表示部１８１及びハーフミラー１８２を備える筐体１８３とを有する。この表示装置１８０において、操作者Ｍは、自然像をハーフミラー１８２を透過させて視野ＦＶの中に見ることができると共に、制御回路１３３の制御に基づき画像表示部１８１で表示された画像データがハーフミラー１８２で操作者Ｍ側に反射されることにより、視野ＦＶの中で画像データを上記自然像に重ね合わせて見ることが可能となっている。このような構成である表示装置１８０を用いても、上記実施形態等と同様の効果を得ることができる。
【０１０７】
（４）その他
以上では特に説明したかったが、例えば建造物（床、柱、壁面等）や定置物（机、書棚等）に対応付けられた位置特定用無線タグＴｐ（図示せず）を設けておき、表示処理装置１００において、この位置特定用無線タグＴｐに対し情報読み取りを行って位置情報を取得するようにしてもよい。これにより、場所がどこであるか（あるいは操作者Ｍがどこにいるか）に応じても、表示・非表示、表示大きさ、表示位置等を変えることができる。この結果、場所ごとの個別カスタマイズが可能となり、利便性をさらに向上することができる。
【０１０８】
本変形例によれば、例えば、夜中にオフィスが停電したような時も、位置特定用無線タグＴｐと表示用無線タグＴとを読み取ることで、どこに何が配置されているかを投影することが可能となり、操作者Ｍは安全に歩行することができる。さらには、例えば所定間隔で誘導画像（矢印など）に関連付けられた表示用無線タグＴを設けておくことにより、操作者Ｍが最適な大きさ・表示位置に表示された誘導画像を確認することが可能となり、特に避難誘導の際等に迅速且つ安全な避難を実現することができる。
【０１０９】
なお、特にフローチャートを用いて説明はしないが、上記変形例における制御回路１３３による位置特定用無線タグＴｐから位置情報を取得する手順が、特許請求の範囲各項記載のアンテナ手段を介し、建造物や定置物に関連付けられた位置特定用無線タグより、対応する位置特定情報を取得する第３情報取得手段を構成する。
【０１１０】
また以上では、無線タグ回路素子Ｔｏに画像データと関連付けられたタグＩＤを記憶しておき、当該無線タグ回路素子Ｔｏから取得したタグＩＤに基づいてデータベース３００を検索することにより画像データを取得するようにしたが、これに限られず、無線タグ回路素子Ｔｏに画像データそのものを記憶するようにしてもよい。
【０１１１】
また以上では、表示用無線タグＴ１〜Ｔ４それぞれに対し、情報読み取りが成功したか否かに応じて、操作者Ｍの視野ＦＶ内の画像の表示位置を変化させるようにしたが、例えば、読み取りが成功した無線タグＴの数が少ないほど、操作者Ｍが投影ボード２に近いとみなして表示サイズを拡大する等、情報読み取りが成功したか否かに応じて表示サイズを変化させるようにしてもよい。また以上では、投影ボード２の操作者Ｍからの距離（受信信号強度）に応じて、視野ＦＶ内における画像データの表示サイズを変化させるようにしたが、例えば、操作者Ｍが投影ボード２に近づくほど画像の表示位置を視野ＦＶの外周側に寄せ、操作者Ｍが投影ボード２から遠ざかるほど画像の表示位置を視野ＦＶの中心側に寄せる等、投影ボード２の操作者Ｍからの距離（受信信号強度）に応じて、表示位置を変化させるようにしてもよい。
【０１１２】
また以上では、本発明の表示処理システムを、デスクに設けた投影ボードに画像データを重ね合わせて表示させる表示処理システムに適用した場合を一例として説明したが、これに限られず、例えば掲示板や案内板における各種情報の表示等、本発明は種々多様な場面に適用可能である。
【０１１３】
なお、本明細書において説明したフローチャートは本発明を当該フローチャートに示す手順に限定するものではなく、発明の趣旨及び技術的思想を逸脱しない範囲内で手順の追加・削除又は変更等を行ってもよい。さらに、本明細書において説明した機能ブロック図において、図中に示す矢印は信号の流れ方向の一例を示すものであり、信号の流れ方向を矢印方向のみに限定するものではない。
【０１１４】
また、以上既に述べた以外にも、上記実施形態や各変形例による手法を適宜組み合わせて利用しても良い。
【０１１５】
その他、一々例示はしないが、本発明は、その趣旨を逸脱しない範囲内において、種々の変更が加えられて実施されるものである。
【図面の簡単な説明】
【０１１６】
【図１】本実施形態の表示処理装置を含む表示処理システムの全体構成を表すシステム構成図である。
【図２】表示処理装置の機能構成を表す機能ブロック図である。
【図３】表示装置の詳細な機能構成を表す機能ブロック図である。
【図４】高周波回路の詳細構成を表す機能ブロック図である。
【図５】無線タグ回路素子の機能的構成の一例を表す機能ブロック図である。
【図６】操作者が使用するデスクの全体構造を表す正面図である。
【図７】表示用無線タグの各無線タグ回路素子のタグＩＤとそれぞれ関連付けられた画像データの内容を表す図である。
【図８】各画像データの表示位置に対応した表示位置情報の内容を表す図である。
【図９】表示処理装置のアンテナを介し表示用無線タグが全て検出された場合に、操作者の視覚に対し表示装置により付与される視野を表す図である。
【図１０】図９に示す状態から操作者が視野を図９中右方向に移動させた場合における、操作者の視覚に対し表示装置により付与される視野を表す図である。
【図１１】図１０に示す状態から操作者が投影ボードに接近した場合における、操作者の視覚に対し表示装置により付与される視野を表す図である。
【図１２】表示処理装置の制御回路によって実行される制御内容を表すフローチャートである。
【図１３】操作者を識別する場合の変形例において、デスクのユーザである操作者の視覚に対し表示装置により付与される視野を表す図、及び、デスクのユーザでない操作者の視覚に対し表示装置により付与される視野を表す図である。
【図１４】操作者を識別する場合の変形例において、表示処理装置の制御回路によって実行される制御内容を表すフローチャートである。
【図１５】操作者の視覚に対し表示装置により付与される視野における画像データの配置の一例を表す図である。
【図１６】その他の表示装置の一例である反射型のヘッドマウントディスプレイの構成を概念的に表す図である。
【符号の説明】
【０１１７】
２            投影ボード（仮想投影部）
１００        表示処理装置
１１０        アンテナ（アンテナ手段）
１２０        表示装置（表示手段）
１８０        表示装置（表示手段）
３００        データベース
ＦＶ          視野
Ｍ            操作者
Ｔ１〜Ｔ４    表示用無線タグ
Ｔｍ          操作者用無線タグ
Ｔｐ          位置特定用無線タグ
【図１】
2009245390.tif 000003
【図２】
2009245390.tif 000004
【図３】
2009245390.tif 000005
【図４】
2009245390.tif 000006
【図５】
2009245390.tif 000007
【図６】
2009245390.tif 000008
【図７】
2009245390.tif 000009
【図８】
2009245390.tif 000010
【図９】
2009245390.tif 000011
【図１０】
2009245390.tif 000012
【図１１】
2009245390.tif 000013
【図１２】
2009245390.tif 000014
【図１３】
2009245390.tif 000015
【図１４】
2009245390.tif 000016
【図１５】
2009245390.tif 000017
【図１６】
2009245390.tif 000018